(57)【要約】【課題】マルチホップ中継方式を使用するセルラーネットワークで２つの周波数帯域を使用して中継サービスを支援するための装置及び方法を提供する。【解決手段】本発明は、少なくとも２つの周波数帯域を使用するマルチホップ中継方式のセルラーネットワークにおける多重リンクを支援するためのサブフレーム構成方法であって、前記サブフレームの第１の周波数帯域は、端末又は中継局と基地局との通信を遂行するためのリンクのサブフレームを構成する段階と、前記サブフレームの第２の周波数帯域は、前記基地局又は中継局と端末との通信を遂行するためのリンクのサブフレームを構成する段階と、を有することを特徴とする。【選択図】図２
2007116703.tif 000002
【特許請求の範囲】
【請求項１】
ネットワークにおける多重リンクを支援するためのサブフレーム構成方法であって、
前記サブフレームの第１の周波数帯域は、端末又は中継局と基地局との通信を遂行するためのリンクのサブフレームを構成する段階と、
前記サブフレームの第２の周波数帯域は、前記基地局又は中継局と端末との通信を遂行するためのリンクのサブフレームを構成する段階と、
を有することを特徴とする方法。
【請求項２】
前記第１の周波数帯域は、前記基地局と通信するための基地局、端末リンクのためのサブフレームと基地局、及び中継局リンクのためのサブフレームのうち少なくとも一つを含むことを特徴とする請求項１記載の方法。
【請求項３】
前記第２の周波数帯域は、前記中継局と通信するための中継局、端末リンクのためのサブフレームと基地局、及び端末リンクのためのサブフレームのうち少なくとも一つを含むことを特徴とする請求項１記載の方法。
【請求項４】
前記第１の周波数帯域と前記第２の周波数帯域に含まれた各リンクのためのサブフレームは、相互に異なる時間リソースを割り当てて区分することを特徴とする請求項１記載の方法。
【請求項５】
前記第１の周波数帯域と前記第２の周波数帯域に含まれた各リンクのためのサブフレームは、相互に異なる周波数リソースを割り当てて区分することを特徴とする請求項１記載の方法。
【請求項６】
前記第１の周波数帯域と前記第２の周波数帯域に含まれた各リンクのためのサブフレームは、相互に異なるバーストを割り当てて区分することを特徴とする請求項１記載の方法。
【請求項７】
ネットワークにおける多重リンクを支援するためのサブフレーム構成方法であって、
前記サブフレームの第１の周波数帯域は、基地局と中継局リンクのためのサブフレームを構成する段階と、
前記サブフレームの第２の周波数帯域は、基地局と端末リンクのためのサブフレーム及び／又は中継局と端末リンクのためのサブフレームを構成する段階と、
を有することを特徴とする方法。
【請求項８】
前記第２の周波数帯域の前記基地局と端末リンクのためのサブフレームと前記中継局と端末リンクのためのサブフレームは、相互に異なる時間リソースを割り当てて区分することを特徴とする請求項７記載の方法。
【請求項９】
前記第２の周波数帯域の前記基地局と端末リンクのサブフレームと前記中継局と端末リンクのためのサブフレームは、相互に異なる周波数リソースを割り当てて区分することを特徴とする請求項７記載の方法。
【請求項１０】
前記第２の周波数帯域の前記基地局と端末リンクのサブフレームと前記中継局と端末リンクのサブフレームは、相互に異なるバーストを割り当てて区分することを特徴とする請求項７記載の方法。
【請求項１１】
ネットワークで多重リンクを支援するためのサブフレーム構成方法であって、
前記サブフレームの第１の周波数帯域は、直接リンクサービスを提供するためのサブフレームを構成する段階と、
前記サブフレームの第２の周波数帯域は、中継リンクサービスを提供するためのサブフレームを構成する段階と、
を有することを特徴とする方法。
【請求項１２】
前記第１の周波数帯域は、直接リンクサービスを提供するための基地局と端末リンクのサブフレームを含むことを特徴とする請求項１１記載の方法。
【請求項１３】
前記第２の周波数帯域は、中継リンクサービスを提供するための基地局と中継局リンクのサブフレームと中継局と端末リンクのサブフレームのうち少なくとも一つを含むことを特徴とする請求項１１記載の方法。
【請求項１４】
前記第２の周波数帯域の前記基地局と中継局リンクのサブフレームと前記中継局端末リンクのサブフレームは、相互に異なる時間リソースを割り当てて区分することを特徴とする請求項１３記載の方法。
【請求項１５】
ネットワークで多重リンクを支援するためのサブフレーム構成方法であって、
前記サブフレームの第１の周波数帯域は、中継局と端末リンクのためのサブフレームを構成する段階と、
前記サブフレームの第２の周波数帯域は、基地局と中継局リンクのためのサブフレーム及び／又は基地局と端末リンクのためのサブフレームを構成する段階と、
を有することを特徴とする方法。
【請求項１６】
前記第２の周波数帯域の前記基地局と端末リンクのためのサブフレームと前記基地局と中継局リンクのためのサブフレームは、相互に異なる時間リソースを割り当てて区分することを特徴とする請求項１５記載の方法。
【請求項１７】
前記第２の周波数帯域の前記基地局と端末リンクのためのサブフレームと前記基地局と中継局リンクのためのサブフレームは、相互に異なる周波数リソースを割り当てて区分することを特徴とする請求項１５記載の方法。
【請求項１８】
前記第２の周波数帯域の前記基地局と端末リンクのためのサブフレームと前記基地局と中継局リンクのためのサブフレームは、相互に異なるバーストを割り当てて区分することを特徴とする請求項１５記載の方法。
【請求項１９】
ネットワークで多重リンクを支援するためのサブフレーム構成方法であって、
前記サブフレームの第１の周波数帯域は、端末又は中継局が基地局と通信するためのリンクのサブフレームを構成する段階と、
前記サブフレームの第２の周波数帯域は、前記基地局又は端末が前記中継局と通信するためのリンクのサブフレームを構成する段階と、
を有することを特徴とする方法。
【請求項２０】
前記第１の周波数帯域は、前記基地局と通信するための基地局、端末リンクのためのサブフレーム、及び基地局と中継局リンクのためのサブフレームのうち少なくとも一つを含むことを特徴とする請求項１９記載の方法。
【請求項２１】
前記第２の周波数帯域は、前記中継局と通信するための基地局、中継局リンクのためのサブフレーム、および中継局と端末リンクのためのサブフレームのうち少なくとも一つを含むことを特徴とする請求項１９記載の方法。
【請求項２２】
前記第１の周波数帯域と前記第２の周波数帯域に含まれた各リンクのためのサブフレームは、相互に異なる時間リソースを割り当てて区分することを特徴とする請求項１９記載の方法。
【請求項２３】
前記第１の周波数帯域に含まれた各リンクのためのサブフレームは、相互に異なる周波数リソースを割り当てて区分することを特徴とする請求項１９記載の方法。
【請求項２４】
前記第１の周波数帯域に含まれた各リンクのためのサブフレームは、相互に異なるバーストを割り当てて区分することを特徴とする請求項１９記載の方法。
【請求項２５】
ネットワークにおける多重リンクを支援するためのサブフレーム構成方法であって、
前記サブフレームの第１の周波数帯域は、基地局又は中継局が端末と通信するためのリンクのサブフレームを構成する段階と、
前記サブフレームの第２の周波数帯域は、前記基地局又は端末が前記中継局と通信するためのリンクのサブフレームを構成する段階と、
を有することを特徴とする方法。
【請求項２６】
前記第１の周波数帯域は、前記端末と通信するための中継局、端末リンクのためのサブフレーム、および基地局と端末リンクのためのサブフレームのうち少なくとも一つを含むことを特徴とする請求項２５記載の方法。
【請求項２７】
前記第２の周波数帯域は、前記中継局と通信するための基地局、中継局リンクのためのサブフレーム、および中継局と端末リンクのためのサブフレームのうち少なくとも一つを含むことを特徴とする請求項２５記載の方法。
【請求項２８】
前記第１の周波数帯域と前記第２の周波数帯域に含まれた各リンクのためのサブフレームは、相互に異なる時間リソースを割り当てて区分することを特徴とする請求項２５記載の方法。
【請求項２９】
前記第１の周波数帯域に含まれた各リンクのためのサブフレームは、相互に異なる周波数リソースを割り当てて区分することを特徴とする請求項２５記載の方法。
【請求項３０】
前記第１の周波数帯域に含まれた各リンクのためのサブフレームは、相互に異なるバーストを割り当てて区分することを特徴とする請求項２５記載の方法。
【請求項３１】
ネットワークにおける多重リンクを支援するためのフレーム構成装置であって、
送受信される信号を前記周波数帯域別に分離するＲＦ(Ｒａｄｉｏ  Ｆｒｅｑｕｎｃｙ)デュプレクサ(Ｄｕｐｌｅｘｅｒ)と、
フレーム構成方式により、それぞれの周波数帯域に対するサブフレームの送受信タイミング信号を提供するタイミング制御器と、
前記タイミング信号により、それぞれの周波数帯域別に信号を送受信する送受信機と、
を含むことを特徴とする装置。
【請求項３２】
前記送受信機は、前記周波数帯域別に少なくとも一つを含むことを特徴とする請求項３１記載の装置。
【請求項３３】
前記送受信機は、
送信信号を前記周波数帯域別に伝送する送信器と、
前記周波数帯域別に受信される信号を復元する受信器と、
を含むことを特徴とする請求項３１記載の装置。
【発明の詳細な説明】
【技術分野】
【０００１】
本発明はマルチホップ中継(Ｍｕｌｔｉ-ｈｏｐ  Ｒｅｌａｙ)方式を使用するセルラーネットワークに関するもので、特に、２つの周波数帯域を使用するマルチホップ中継方式のセルラーネットワークで多重リンクを支援するためのフレーム構成方法及びそれを支援する装置に関するものである。
【背景技術】
【０００２】
最近、多くの人々はノートブックコンピュータや、携帯電話、ＰＤＡ、及びＭ３など数多くのデジタル電子機器を携帯する。大部分の携帯用デジタル電子機器は、相互連動なしに独立的に作動するようになる。中央制御システムの助けなしに携帯用デジタル電子機器が自ら無線ネットワークの構成が可能であれば、各デバイスは多様な情報を相互に容易に共有可能になって、新しくて多様な情報通信サービスを提供することができる。このように、中央制御システムの助けがなくても、いつどこでも各デバイス間に通信を可能にする無線ネットワークを、アドホック(Ａｄ  ｈｏｃ)ネットワーク又は  (ｕｂｉｑｕｉｔｏｕｓ)ネットワークと呼ぶ。
【０００３】
最近、活発に研究が進行中である４世代移動通信システムの一番重要な要求条件中の一つは、自律的適応型(Ｓｅｌｆ-Ｃｏｎｆｉｇｕｒａｂｌｅ)無線ネットワークの構成である。
【０００４】
自律的適応型無線ネットワークは、中央システムの制御なしに無線ネットワークを自律的に、且つ分散的に構成して、移動通信サービスの提供が可能な無線ネットワークを意味する。また、第４世代の移動通信システムでは高速通信を可能にしてさらに多くの通過量を受け入れるために半径が非常に小さいセルが設置される。この場合に、現在の無線ネットワークの設計方式をそのまま使用した中央集中的な設計が不可能になる。このような無線ネットワークは、分散的に制御され、構築されつつ、新たな基地局の追加のような環境変化に能動的に対処しなければならない。上述した理由で、第４世代の移動通信システムでは自律的適応型無線ネットワークの構成が要求される。
【０００５】
第４世代の移動通信システムで要求される自律的適応型無線ネットワークを現実的に実現するために、アドホックネットワークで適用された技術を移動通信システムに導入すべきである。上記の代表的な例が多重ホップ中継セルラーネットワークとして、固定基地局で構成されたセルラーネットワークにアドホックネットワークで適用された技術である多重ホップ中継技法を導入した。
【０００６】
一般に、セルラーネットワークでは基地局と端末機(Ｍｏｂｉｌｅ  Ｓｔａｔｉｏｎ)との間に一つの直接リンクで通信がなされるため、端末機と基地局との間に信頼度が高い無線通信リンクを容易に構成することができる。
【０００７】
しかしながら、基地局の位置が固定されているため、無線ネットワーク構成の柔軟性(ｆｌｅｘｉｂｉｌｉｔｙ）が低くてトラフィック分布や通話要求量の変化が激しい無線環境で効率的なサービスを提供しにくい。
【０００８】
このような短所を克服するために、周辺のいろいろな端末機又は中継局(Ｒｅｌａｙ  ｓｔａｔｉｏｎ)を用いてマルチホップ形態としてデータを伝達する中継局を適用することが可能である。マルチホップ中継技法は、周辺環境の変化に対して速くネットワークを再構成し、全体無線ネットワークをより効率的に運用可能になる。また、基地局と端末との間に中継局を設置し、中継局を通じたマルチホップ中継経路を構成することによって、チャンネル状態がより優れた無線チャンネルを端末に提供することができる。さらに、マルチホップ中継経路を用いて陰影地域のように基地局と通信を遂行できない地域の端末に高速のデータチャンネルが提供可能なので、セル領域を拡張させることができる。
【０００９】
図１は、一般的なマルチホップ中継方式のセルラーネットワークの構成を示す。
【００１０】
図１に示すように、基地局１００のサービス領域１０１に含まれる端末１１０は、基地局１００と直接リンクで接続される。その反面、基地局のサービス領域１０１の外に位置してチャンネル状態の悪い端末１２０は、中継局１３０を通じて中継リンクに接続される。
【００１１】
また、端末１１０，１２０が基地局１００と通信を遂行するが、基地局サービス領域１０１の外部に位置してチャンネル状態が悪い場合に、中継局１３０を用いてより優れた無線チャンネルを提供することができる。したがって、基地局１００は、マルチホップ中継技法を適用してチャンネル状態が悪いセル境界地域に高速のデータチャンネルを提供し、セルサービス領域を拡張させることができる。図１に示すように、セルラーネットワークで中継サービスを使用する場合に、基地局と端末リンクだけでなく基地局と中継局リンクと中継局と端末リンクが存在する。
【００１２】
マルチホップ中継方式を使用するセルラーネットワークで、端末は、状況により基地局だけでなく中継局とも通信を遂行するために、無線インターフェース(Ａｉｒ  ｉｎｔｅｒｆａｃｅ)で提供されるリソースが、基地局と中継局との間で動的に分配されなければならない。
【００１３】
セルラーネットワークは、サービス提供者に一つ以上の周波数帯域が割り当てられるため、マルチホップ中継を使用するセルラーネットワークで一つ以上の周波数帯域を用いて多重リンクが無線インターフェースリソースを干渉なしに効率的に使用可能な通信構造が必要である。
【発明の開示】
【発明が解決しようとする課題】
【００１４】
したがって、上記のような問題点を解決するために、本発明の目的は、マルチホップ中継方式を使用するセルラーネットワークで２つの周波数帯域を使用して中継サービスを支援するための装置及び方法を提供することにある。
【００１５】
本発明の他の目的は、マルチホップ中継方式を使用するセルラーネットワークで、２つの周波数帯域を使用してセル内に干渉なしに多重リンクを支援するためのサブフレーム構成方法及びこれを支援する装置を提供することにある。
【課題を解決するための手段】
【００１６】
上記の目的を達成するために、本発明は、少なくとも２つの周波数帯域を使用するマルチホップ中継方式のセルラーネットワークにおける多重リンクを支援するためのサブフレーム構成方法であって、前記サブフレームの第１の周波数帯域は、端末又は中継局と基地局との通信を遂行するためのリンクのサブフレームを構成する段階と、前記サブフレームの第２の周波数帯域は、前記基地局又は中継局と端末との通信を遂行するためのリンクのサブフレームを構成する段階と、を有することを特徴とする。
【００１７】
また、本発明は、少なくとも２つの周波数帯域を使用するマルチホップ中継方式のセルラーネットワークにおける多重リンクを支援するためのサブフレーム構成方法であって、前記サブフレームの第１の周波数帯域は、基地局と中継局リンクのためのサブフレームを構成する段階と、前記サブフレームの第２の周波数帯域は、基地局と端末リンクのためのサブフレーム及び／又は中継局と端末リンクのためのサブフレームを構成する段階と、を有することを特徴とする。
【００１８】
本発明は、少なくとも２つの周波数帯域を使用するマルチホップ中継方式のセルラーネットワークで多重リンクを支援するためのサブフレーム構成方法であって、前記サブフレームの第１の周波数帯域は、直接リンクサービスを提供するためのサブフレームを構成する段階と、前記サブフレームの第２の周波数帯域は、中継リンクサービスを提供するためのサブフレームを構成する段階と、を有することを特徴とする。
【００１９】
さらに、本発明は、少なくとも２つの周波数帯域を使用するマルチホップ中継方式のセルラーネットワークで多重リンクを支援するためのサブフレーム構成方法であって、前記サブフレームの第１の周波数帯域は、中継局と端末リンクのためのサブフレームを構成する段階と、前記サブフレームの第２の周波数帯域は、基地局と中継局リンクのためのサブフレーム及び／又は基地局と端末リンクのためのサブフレームを構成する段階と、を有することを特徴とする。
【００２０】
本発明は、少なくとも２つの周波数帯域を使用するマルチホップ中継方式のセルラーネットワークで多重リンクを支援するためのサブフレーム構成方法であって、前記サブフレームの第１の周波数帯域は、端末又は中継局が基地局と通信するためのリンクのサブフレームを構成する段階と、前記サブフレームの第２の周波数帯域は、前記基地局又は端末が前記中継局と通信するためのリンクのサブフレームを構成する段階と、を有することを特徴とする。
【００２１】
また、本発明は、少なくとも２つの周波数帯域を使用するマルチホップ中継方式のセルラーネットワークにおける多重リンクを支援するためのサブフレーム構成方法であって、前記サブフレームの第１の周波数帯域は、基地局又は中継局が端末と通信するためのリンクのサブフレームを構成する段階と、前記サブフレームの第２の周波数帯域は、前記基地局又は端末が前記中継局と通信するためのリンクのサブフレームを構成する段階と、を有することを特徴とする。
【００２２】
さらに、本発明は、少なくとも２つの周波数帯域を使用するマルチホップ中継方式のセルラーネットワークにおける多重リンクを支援するためのフレーム構成装置であって、送受信される信号を前記周波数帯域別に分離するＲＦ(Ｒａｄｉｏ  Ｆｒｅｑｕｎｃｙ)デュプレクサ(Ｄｕｐｌｅｘｅｒ)と、フレーム構成方式により、それぞれの周波数帯域に対するサブフレームの送受信タイミング信号を提供するタイミング制御器と、前記タイミング信号により、それぞれの周波数帯域別に信号を送受信する送受信機と、を含むことを特徴とする。
【発明の効果】
【００２３】
本発明は、マルチホップ中継方式を使用するセルラーネットワークで二つの周波数帯域を使用して多重リンクを支援するフレームを生成することによって、サブフレームの干渉回避とリソース活用の柔軟性、端末のハンドオフ及びセル検索の容易性、及び先進技術の容易な適用と中継機の動作切り替えギャップオーバーヘッドの減少のような効果がある。
【発明を実施するための最良の形態】
【００２４】
以下、本発明の望ましい実施形態を添付の図面を参照して詳細に説明する。
【００２５】
下記に、本発明に関連した公知の機能又は構成に関する具体的な説明が本発明の要旨を不明にすると判断された場合に、その詳細な説明を省略する。
【００２６】
本発明は、マルチホップ中継方式を使用するセルラーネットワークで２つの周波数帯域を使用してそれぞれの周波数帯域に相互に異なるリンクを構成するための技術について説明する。言い換えれば、マルチホップ中継方式を使用するセルラーネットワークで２つの周波数帯域を使用して各周波数帯域別にリンクを異なるように割り当ててサブフレームを構成するための技術について説明する。ここで、２つの周波数帯域を、周波数帯域Ｂ１と周波数帯域Ｂ２と称する。
【００２７】
以下に、時分割複信(Ｔｉｍｅ  Ｄｉｖｉｓｉｏｎ  Ｄｕｐｌｅｘ)及び直交周波数分割多重接続(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ)方式を使用する無線通信システムを例として説明し、他の多重接続方式にも同一に適用される。また、基地局と中継局リンクは、ＢＳ-ＲＳリンク、基地局と端末リンクはＢＳ-ＭＳリンク、及び中継局と端末リンクはＲＳ-ＭＳリンクと称し、これらリンクのためのサブフレームは一つのフレーム内に構成される。また、リンクのためのサブフレームは、スーパーフレーム内に構成される。
【００２８】
図面において、サブフレームの横軸は時間領域を、縦軸は周波数領域を、それぞれ示す。また、サブフレームを構成する領域に関する情報はフレームの制御情報を通じて伝送され、これを受信したすべての中継局又は端末がフレーム構造を認識することができる。
【００２９】
まず、２つの周波数帯域のうち、一つの周波数帯域を一つのリンクのサブフレームを伝送するために使用し、他の周波数帯域は一つの帯域に割り当てられたリンク以外のリンクのサブフレームを伝送するために使用することで、サブフレームを構成する方式について説明する。
【００３０】
図２は、本発明の第１の実施形態によるマルチホップ中継セルラーネットワークのサブフレームの構成を示す。
【００３１】
図２に示すように、サブフレームは、周波数帯域Ｂ１  ２０１と周波数帯域Ｂ２  ２０３を用いて各々リンクのためのサブフレームを構成する。このとき、周波数帯域Ｂ１  ２０１にはＢＳ-ＲＳリンクのためのサブフレームを構成する。また、周波数帯域Ｂ２  ２０３は、ＢＳ-ＭＳリンクとＲＳ-ＭＳリンクのためのサブフレームを構成する。
【００３２】
サブフレームの構成方式により、基地局は、ＢＳ-ＲＳリンクとＢＳ-ＭＳリンクが相互に異なる周波数帯域に分けられて同時に通信を遂行するため、それぞれの周波数帯域により２個の送受信装置を必要とする。故に、ＢＳは、ＲＳ及びＭＳによって異なる周波数帯域を同時に管理する。
【００３３】
また、中継局もサブフレームの構成方式により、ＲＳ-ＭＳリンクとＢＳ-ＲＳリンクが相互に異なる周波数帯域に分けられて同時に通信を遂行するため、それぞれの周波数帯域により２個の送受信装置が必要である。しかしながら、中継局は、２つの周波数帯域で異なる送受信動作を有する。例えば、ダウンリンクサブフレーム内で、中継局は、周波数帯域Ｂ１  ２０１を通じて基地局から信号を受信し、周波数帯域Ｂ２  ２０３を通じて端末に信号を送信する。また、アップリンクサブフレーム内で中継局は周波数帯域Ｂ１  ２０１を通じて基地局に信号を送信し、周波数帯域Ｂ２  ２０３を通じて端末から信号を受信する。
【００３４】
したがって、中継局は、一個の送受信装置を用いて２つの周波数帯域を通じる通信リンクを設定することが可能である。
【００３５】
さらに、中継局は、ＢＳ-ＲＳリンクのためのサブフレームとＲＳ-ＭＳリンクのためのサブフレームが相互に異なる周波数帯域を通じて独立的に伝送されるため、単一方向リンク内で動作切り替えのためのギャップ(ｇｑｐ）を必要としない。
【００３６】
端末は、サブフレームの構成方式により、ＢＳ-ＭＳリンクとＲＳ-ＭＳリンクが同一の周波数帯域内で通信を遂行するため、セル内でハンドオフのためのＲＦスイッチングなしにセル内のハンドオフ及びセル検索(ｃｅｌｌ  ｓｅａｒｃｈｉｎｇ）が容易に遂行される。このとき、端末は、ＢＳ-ＭＳリンクとＲＳ-ＭＳリンクが同一の周波数帯域内で通信を遂行するため、基地局と中継局を区分するための識別子が必要である。ここで、識別子は、相互に異なるプリアンブル構造及び構成方式を使用することができる。
【００３７】
図２で、ＢＳ-ＭＳリンク及びＲＳ-ＭＳリンクとＢＳ-ＲＳリンクが相互に異なる周波数帯域を使用するため、ＢＳ-ＲＳリンクをより良いリンク状況を提供できるスマートアンテナ(ｓｍａｒｔ  ａｎｔｅｎｎａ)、ＭＩＭＯ(Ｍｕｌｔｉ  Ｉｎｐｕｔ  Ｍｕｌｔｉ  Ｏｕｔｐｕｔ)技術、ＶＢＬＡＳＴ(Ｖｅｒｔｉｃａｌ  Ｂｅｌｌ  Ｌａｂｓ  Ｌａｙｅｒｅｄ  Ｓｐａｃｅ-Ｔｉｍｅ)などの先進技術を適用するのに容易な利点がある。
【００３８】
図３は、本発明の第２の実施形態によるマルチホップ中継セルラーネットワークのサブフレームの構成を示す。
【００３９】
図３に示すように、サブフレームは、周波数帯域Ｂ１  ３０１と周波数帯域Ｂ２  ３０３を用いて各々リンクのためのサブフレームを構成する。このとき、周波数帯域Ｂ１  ３０１には、直接リンクサービスのためのＢＳ-ＭＳリンクのサブフレームを構成する。また、周波数帯域Ｂ２  ３０３は、中継リンクサービスのためのＢＳ-ＲＳリンクとＲＳ-ＭＳリンクのサブフレームを構成する。すなわち、サブフレームは、直接リンクサービスのためのサブフレームと中継リンクサービスのためのサブフレームとが相互に異なる周波数帯域を使用しても重ならない構造を有する。
【００４０】
サブフレームの構成方式により、基地局は、ＢＳ-ＲＳリンクとＢＳ-ＭＳリンクが相互に異なる周波数帯域に区分されて通信を遂行するため、それぞれの周波数帯域により２個の送受信装置が必要である。故に、ＢＳは、ＲＳ及びＢＳによって異なる周波数を同時に管理する。
また、中継局は、サブフレーム構成方式により、一つの周波数帯域内でＢＳ-ＲＳリンクとＲＳ-ＭＳリンクが通信を遂行するため、単一方向リンク内で動作切り替えのためのギャップが必要である。
【００４１】
端末は、サブフレームの構成方式により、ＢＳ-ＭＳリンクとＲＳ-ＭＳリンクが相互に異なる周波数帯域を用いて通信を遂行する。したがって、端末は、セル内の基地局と中継局との間で移動する場合に、ハンドオフ及びセル検索のために相互に異なる周波数帯域の信号を受信しなければならないので、周波数帯域の遷移のためのＲＦスイッチングが要求される。
【００４２】
図４は、本発明の第３の実施形態によるマルチホップ中継セルラーネットワークのサブフレームの構成を示す。
【００４３】
図４に示すように、サブフレームは、周波数帯域Ｂ１  ４０１と周波数帯域Ｂ２  ４０３を用いて各々リンクのためのサブフレームを構成する。このとき、周波数帯域Ｂ１  ４０１には中継リンクであるＲＳ-ＭＳリンクのためのサブフレームを構成する。また、周波数帯域Ｂ２  ４０３は、直接リンクであるＢＳ-ＲＳリンクとＢＳ-ＭＳリンクのためのサブフレームを構成する。
【００４４】
サブフレームの構成方式により、基地局は、一つの周波数帯域内でＢＳ-ＭＳリンクとＢＳ-ＲＳリンクが通信を遂行するため、追加的なハードウェアが必要ない。
【００４５】
また、中継局は、サブフレームの構成方式により、ＲＳ-ＭＳリンクとＲＳ-ＭＳリンクが相互に異なる周波数帯域に分けられて通信を遂行するため、それぞれの周波数帯域により２個の送受信装置を必要とする。しかしながら、中継局は、２つの周波数帯域で異なる送受信動作を有する。例えば、ダウンリンクサブフレーム内で、中継局は周波数帯域Ｂ１  ４０１を通じて端末に信号を送信し、周波数帯域Ｂ２  ４０３を通じて基地局から信号を受信する。また、アップリンクサブフレーム内で、中継局は周波数帯域Ｂ１  ４０１を通じて端末から信号を受信し、周波数帯域Ｂ２４０３を通じて基地局に信号を送信する。
【００４６】
したがって、中継局は一個の送受信装置を用いて２つの周波数帯域を通じる通信リンクを設定することができる。
【００４７】
さらに、中継局は、ＢＳ-ＲＳリンクのためのサブフレームとＲＳ-ＭＳリンクのためのサブフレームが相互に異なる周波数帯域を通じて独立的に伝送されるため、単一方向リンク内で動作切り替えのためのギャップが不要である。
【００４８】
端末は、サブフレームの構成方式により、ＢＳ-ＭＳリンクとＲＳ-ＭＳリンクが相互に異なる周波数帯域を用いて通信を遂行する。したがって、端末は、セル内の基地局と中継局との間で移動する場合に、ハンドオフ及びセル検索のために相互に異なる周波数帯域の信号を受信しなければならないので、周波数帯域の遷移のためのＲＦスイッチングが要求される。
【００４９】
次に、各周波数帯域ごとに２つのリンクのサブフレームを割り当ててサブフレームを構成する方式について説明する。
【００５０】
図５は、本発明の第４の実施形態によるマルチホップ中継セルラーネットワークのサブフレームの構成を示す。
【００５１】
図５に示すように、サブフレームは、周波数帯域Ｂ１  ５０１と周波数帯域Ｂ２  ５０３を用いて各々リンクのためのサブフレームを構成する。このとき、周波数帯域Ｂ１  ５０１は、基地局と通信を遂行するためのＢＳ-ＭＳリンクとＢＳ-ＲＳリンクのためのサブフレームを構成する。また、周波数帯域Ｂ２  ５０３には、端末と通信を遂行するためのＲＳ-ＭＳリンクとＢＳ-ＭＳリンクのためのサブフレームを構成する。
【００５２】
サブフレームの構成方式により、基地局は、ＢＳ-ＭＳリンクが２つの周波数帯域を用いて通信を遂行し、ＢＳ-ＲＳリンクとＢＳ-ＭＳリンクが相互に異なる周波数帯域に区分されて通信を遂行する。したがって、基地局はそれぞれの周波数帯域により２個の送受信装置が必要となる。
【００５３】
また、中継局は、サブフレームの構成方式により、ＲＳ-ＭＳリンクとＢＳ-ＲＳリンクが相互に異なる周波数帯域に区分されて通信を遂行するため、それぞれの周波数帯域により２個の送受信装置が必要である。しかしながら、中継局は、２つの周波数帯域で異なる送受信動作を有する。例えば、ダウンリンクサブフレーム内で、中継局は周波数帯域Ｂ１  ５０１を通じて基地局から信号を受信し、周波数帯域Ｂ２  ５０３を通じて端末に送信する。また、アップリンクサブフレーム内で、中継局は周波数帯域Ｂ１  ５０１を通じて基地局に信号を送信し、周波数帯域Ｂ２  ５０３を通じて端末から信号を受信する。
【００５４】
したがって、中継局は、一つの送受信装置を用いて２つの周波数帯域を通じる通信リンクを設定することが可能である。
【００５５】
さらに、中継局は、ＢＳ-ＲＳリンクのためのサブフレームとＲＳ-ＭＳリンクのためのサブフレームが相互に異なる周波数帯域を通じて独立的に伝送されるため、単一方向リンク内で動作切り替えのためのギャップを必要としない。
【００５６】
端末は、サブフレームの構成方式により、周波数帯域Ｂ２  ５０３でＢＳ-ＭＳリンクとＲＳ-ＭＳリンクが通信を遂行するため、セル内でハンドオフのためのＲＦスイッチングなしにセル内のハンドオフ及びセル検索が容易に遂行される。このとき、端末は、ＢＳ-ＭＳリンクとＲＳ-ＭＳリンクが同一の周波数帯域内で構成されるため、基地局と中継局を区分するための識別子が必要である。ここで、識別子は、相互に異なるプリアンブル構造及び構成方式を使用することができる。
【００５７】
図６は、本発明の第５の実施形態によるマルチホップ中継セルラーネットワークのサブフレームの構成を示す。
【００５８】
図６に示すように、サブフレームは、周波数帯域Ｂ１  ６０１と周波数帯域Ｂ２  ６０３を用いて各々リンクのためのサブフレームを構成する。このとき、周波数帯域Ｂ１  ６０１には、基地局と通信を遂行するためのＢＳ-ＭＳリンクとＢＳ-ＲＳリンクのためのサブフレームを構成する。また、周波数帯域Ｂ２  ６０３には中継局と通信を遂行するためのＲＳ-ＭＳリンクとＢＳ-ＲＳリンクのためのサブフレームを構成する。
【００５９】
サブフレームの構成方式により、基地局は、ＢＳ-ＲＳリンクが２つの周波数帯域を用いて通信を遂行し、ＢＳ-ＲＳリンクとＢＳ-ＭＳリンクは相互に異なる周波数帯域に区分されて通信を遂行する。したがって、基地局は、それぞれの周波数帯域により２個の送受信装置が必要である。
【００６０】
また、中継局もＢＳ-ＲＳリンクのためのサブフレームが２つの周波数帯域を用いて構成されるため、それぞれの周波数帯域により２個の送受信装置が必要である。また、一つの周波数帯域内でＢＳ-ＲＳリンクのためのサブフレームとＲＳ-ＭＳリンクのためのサブフレームを共に構成するため、単一方向リンク内で動作切り替えのためのギャップが必要である。
【００６１】
端末は、サブフレーム構成方式により、ＢＳ-ＭＳリンクとＲＳ-ＭＳリンクが相互に異なる周波数帯域を用いて通信を遂行する。したがって、端末は、セル内の基地局と中継局との間で移動する場合に、ハンドオフ及びセル検索のために相互に異なる周波数帯域の信号を受信しなければならないので、周波数帯域の遷移のためのＲＦスイッチングが要求される。
【００６２】
図７は、本発明の第６の実施形態によるマルチホップ中継セルラーネットワークのサブフレームの構成を示す。
【００６３】
図７に示すように、サブフレームは、周波数帯域Ｂ１  ７０１と周波数帯域Ｂ２  ７０３を用いて各々リンクのためのサブフレームを構成する。このとき、周波数帯域Ｂ１  ７０１には、端末と通信を遂行するためのＲＳ-ＭＳリンクとＢＳ-ＭＳリンクのためのサブフレームを構成する。また、周波数帯域Ｂ２  ７０３には、中継局と通信を遂行するためのＲＳ-ＭＳリンクとＢＳ-ＲＳリンクのためのサブフレームを構成する。
【００６４】
サブフレームの構成方式により、基地局は、ＢＳ-ＲＳリンクとＢＳ-ＭＳリンクが相互に異なる周波数帯域に区分されて通信を遂行するため、それぞれの周波数帯域により２個の送受信装置が必要である。
【００６５】
また、中継局もＲＳ-ＭＳリンクのためのサブフレームが２つの周波数帯域を用いて構成されるため、それぞれの周波数帯域により２個の送受信装置を必要とする。また、一つの周波数帯域内でＢＳ-ＲＳリンクのためのサブフレームとＲＳ-ＭＳリンクのためのサブフレームを共に構成するため、単一方向リンク内で動作切り替えのためのギャップが必要である。
【００６６】
端末は、サブフレームの構成方式により、周波数帯域Ｂ１  ７０１でＢＳ-ＭＳリンクとＲＳ-ＭＳリンクが通信を遂行するため、基地局と中継局を区分するための識別子が必要である。ここで、識別子は、相互に異なるプリアンブル構造及び構成方式を使用することができる。
【００６７】
また、端末は、ＢＳ-ＭＳリンクとＲＳ-ＭＳリンクが相互に異なる周波数帯域を用いて通信を遂行する。したがって、端末は、セル内の基地局と中継局との間で移動する場合に、ハンドオフ及びセル検索のために相互に異なる周波数帯域の信号を受信しなければならないため、周波数帯域の遷移のためのＲＦスイッチングが要求される。
【００６８】
上述したサブフレーム構成で、一つの周波数帯域２個のリンクのためのサブフレームが存在する場合に、一つの周波数帯域に２個のリンクのためのサブフレームのうちの一つのリンクのためのサブフレームのみが存在することも可能である。
【００６９】
図８は、本発明の第１の実施形態によるサブフレームの多重化方法を示す。以下の説明において、点線は状況により割り当て領域が動的に変化可能であることを意味し、各リンクのサブフレーム内で複数の送信端のための２次元(時間-周波数)形態のバーストで割り当てられる。
【００７０】
図８に示すように、２つの周波数帯域中に一つの周波数帯域でＢＳ-ＭＳリンクのためのサブフレームとＲＳ-ＭＳリンクのためのサブフレームを構成するための方法を示す。
【００７１】
第１の方法８０１は、ＢＳ-ＭＳリンクのためのサブフレームとＲＳ-ＭＳリンクのためのサブフレームに相互に異なる時間スロットを割り当てて時間多重化を遂行する。この場合に、相互に異なるリンクに対してバースト割り当て自由度が高い。すなわち、各リンク別リソース割り当て方式を異なるように設定可能である。
【００７２】
第２の方法８０３は、ＢＳ-ＭＳリンクのためのサブフレームとＲＳ-ＭＳリンクのためのサブフレームに各々相互に異なる周波数帯域を割り当てて周波数多重化を遂行する。この場合に、ＲＳ-ＭＳリンクで複数の中継器のために時間優先的なバーストを割り当てて狭帯域運用(Ｎａｒｒｏｗ-ｂａｎｄ  Ｏｐｅｒａｔｉｏｎ)の利得が得られる。ここで、狭帯域運用利得は、周波数領域で占有する帯域のサイズは変わっても時間領域から一定の送信電力で信号を伝送して狭帯域を占有する場合に、受信端が周波数領域でより高い信号対干渉及び雑音比(ＳＩＮＲ)を得ることができるため、リンクバジェット(ｌｉｎｋ  ｂｕｄｇｅｔ）を向上させることを意味する。
【００７３】
第３の方法８０５は、ＢＳ-ＭＳリンクのためのサブフレームだけを構成する領域とＢＳ-ＭＳリンクのためのサブフレームとＲＳ-ＭＳリンクのためのサブフレームに相互に異なるバーストが割り当てられる領域に多重化する。
【００７４】
第４の方法８０７は、サブフレーム内でＢＳ-ＭＳリンクのためのサブフレームとＲＳ-ＭＳリンクのためのサブフレームが相互に異なるバーストが割り当てられて構成される。この場合に、相互に異なるリンクのバースト割り当てを区分するためにリソースの割り当て時に同一の方式のバースト構成方式を適用するべきである。
【００７５】
図９は、本発明の第２の実施形態によるサブフレームの多重化方法を示す。以下説明において、点線は状況により割り当て領域が動的に変化されることを意味し、各リンクのサブフレーム内でのリソースは２次元(時間-周波数)形態のバーストで割り当てられる。
【００７６】
図９に示すように、２つの周波数帯域中に一つの周波数帯域にＢＳ-ＲＳリンクのためのサブフレームとＲＳ-ＭＳリンクのためのサブフレームを構成するための方法を示す。
【００７７】
すなわち、中継局が、一つの周波数帯域内で同時に送受信を遂行するために、ＢＳ-ＲＳリンクのためのサブフレームとＲＳ-ＭＳリンクのためのサブフレームを相互に異なる時間スロットを割り当ててＴＤＭ(Ｔｉｍｅ  Ｄｉｖｉｓｉｏｎ  Ｍｕｌｔｉｐｌｅｘ)形態で多重化する。このとき、単方向リンク内で中継局の動作スイッチングのための伝送ギャップが必要である。
【００７８】
図１０は、本発明の第３の実施形態によるサブフレームの多重化方法を示す。以下説明において、点線は状況により割り当て領域が動的に変化可能であることを意味し、各リンクのサブフレーム内でのリソースは２次元(時間-周波数)形態のバーストで割り当てられる。
【００７９】
図１０に示すように、２つの周波数帯域中に一つの周波数帯域にＢＳ-ＭＳリンクのためのサブフレームとＢＳ-ＲＳリンクのためのサブフレームを構成するための方法を示す。
【００８０】
第１の方法１００１は、ＢＳ-ＭＳリンクのためのサブフレームとＢＳ-ＲＳリンクのためのサブフレームに相互に異なる時間スロットを割り当てて時間多重化を遂行する。ＢＳ-ＲＳリンクは、ＢＳ-ＭＳリンクに独立的に設定可能なため、ＢＳ-ＲＳリンクにより良いリンク状況を提供することができる先進技術を適用するのに容易な利点を有する。
【００８１】
第２の方法１００３は、ＢＳ-ＭＳリンクのためのサブフレームとＢＳ-ＲＳリンクのためのサブフレームに各々相互に異なる周波数帯域を割り当てて周波数多重化を遂行する。
【００８２】
第３の方法は、ＢＳ-ＭＳリンクのためのサブフレームとＢＳ-ＲＳリンクのためのサブフレームに相互に異なるバーストを割り当てて構成する。この場合に、基地局が２個のリンクで同時に送受信動作を同時に遂行するため、共用放送(Ｃｏｍｍｏｎ  Ｂｒｏａｄｃａｓｔ)情報の伝送に対するオーバーヘッドを減少させることが可能である。
【００８３】
図１１は、本発明の実施形態によるマルチホップ中継セルラーネットワークのフレーム構成を示す。
【００８４】
図１１に示すように、上記のフレームは、図２に示したような形態で構成されるダウンリンクサブフレーム１１０１とアップリンクサブフレーム１１０３で構成されるＴＤＤフレームの構造を有する。
【００８５】
フレーム構成で、ダウンリンクサブフレーム１１０１の区間は、周波数帯域Ｂ１１１０３でＢＳ-ＲＳリンクのためのサブフレームを構成する。また、周波数帯域Ｂ２  １１０５で端末と通信を遂行するための、ＢＳ-ＭＳリンクのためのサブフレームとＲＳ-ＭＳリンクのためのサブフレームを構成する。したがって、ＢＳ-ＭＳリンク及びＲＳ-ＭＳリンクとＢＳ-ＲＳリンクが相互に異なる周波数帯域を使用するため、ＢＳ-ＲＳリンクをより良いリンク状況を提供できる先進技術を適用するのに容易という利点を有する。
【００８６】
基地局は、サブフレーム構成方式により、ＢＳ-ＲＳリンクとＢＳ-ＭＳリンクが相互に異なる周波数帯域に区分されて通信を遂行するため、それぞれの周波数帯域により２個の送受信装置が必要である。
【００８７】
中継局は、サブフレーム構成方式により、ＲＳ-ＭＳリンクとＢＳ-ＲＳリンクが相互に異なる周波数帯域に区分されて通信を遂行するため、それぞれの周波数帯域により２個のスイッチと送受信装置が必要である。しかしながら、中継局は、ダウンリンク帯域１１０１の周波数帯域Ｂ１  １１０３で基地局から信号を受信し、周波数帯域Ｂ２  １１０５で端末に信号を送信する。また、アップリンク帯域１１１１の周波数帯域Ｂ１  １１０３で基地局に信号を送信し、周波数帯域Ｂ２  １１０５で端末から信号を受信する。したがって、中継局は、一個の送受信装置を用いて２つの周波数帯域を用いる通信リンクが設定可能である。
【００８８】
また、中継局は、ＢＳ-ＲＳリンクのためのサブフレームとＲＳ-ＭＳリンクのためのサブフレームが相互に異なる周波数帯域を通じて独立的に伝送されるため、単一方向リンク内で動作切り替えのためのギャップが不要である。端末は、サブフレームの構成方式により、同一の周波数帯域を用いて基地局及び中継局と通信を遂行する。したがって、セル内でＲＦの遷移なしにハンドオフ及びセル検索を遂行するという利点がある。
【００８９】
図１２は、本発明の他の実施形態によるマルチホップ中継セルラーネットワークのフレーム構成を示す。
【００９０】
図１２に示すように、上記のフレームは、図２に示したような形態のサブフレーム構造を用いてアップ／ダウンリンクサブフレームを構成する。このとき、フレーム構造は、同一の帯域の２つの周波数帯域を下向き/上向きスイッチングして使用する。すなわち、同一の帯域の２つの周波数帯域の中で一つの周波数帯域はアップリンクサブフレームで構成され、他の周波数帯域はダウンリンクサブフレームで構成される。
【００９１】
上記のようなフレームが構成される場合に、基地局は、第１の区間１２０１の周波数帯域Ｂ１  １２０３ではＢＳ-ＲＳリンクを通じて中継局から信号を受信する。また、周波数帯域Ｂ２  １２０５ではＢＳ-ＭＳリンクを通じて端末に信号を送信する。次に、第２の区間１２１１の周波数帯域Ｂ１  １２０３ではＢＳ-ＲＳリンクを通じて中継局に信号を送信し、周波数帯域Ｂ２  １２０５ではＢＳ-ＭＳリンクを通じて端末から信号を受信する。したがって、基地局は、一つの送受信装置を用いて２つの周波数帯域を通じる通信リンクを設定することができる。
【００９２】
上述したように、フレーム構成は、基地局にとって一つのサブフレーム帯域がＦＤＤ(Ｆｒｅｑｕｅｎｃｙ  Ｄｉｖｉｓｉｏｎ  Ｄｕｐｌｅｘ)形態と類似に動作する。すなわち、基地局において、一つのフレーム構造は、２つの周波数帯域を使用するＴＤＤ基盤で動作し、フレーム構造内のサブフレーム帯域はＦＤＤ基盤と類似に動作する。
【００９３】
上述した図１１及び図１２のフレーム構成方法以外にも、ＴＤＤフレーム内のサブフレーム時に図２〜図７に示すサブフレーム構成方法を用いて多様なＴＤＤフレーム構造を設計することができる。したがって、より多くのフレーム構成方法が存在する。また、実施形態で、マルチホップセルラーネットワークが２つの周波数帯域を使用することを例として説明したが、複数の周波数帯域を使用することも可能である。
【００９４】
以下に、２つの周波数帯域を使用するマルチホップセルラーネットワークで中継サービスを支援するための基地局、中継局、及び端末の装置構成について説明する。ここで、基地局と中継局の装置構成は同一であるため、図１３、図１４、図１５に示す中継局装置を用いて基地局装置まで説明する。このとき、端末は、２つの周波数帯域のうちの一つの周波数帯域に対する通信を遂行する送受信装置と同一に構成される。
【００９５】
図１３は、本発明の実施形態による中継局装置のブロック構成を示す。
【００９６】
図１３に示すように、中継局は、周波数帯域Ｂ１の送受信装置１３０１と、周波数帯域Ｂ２の送受信装置１３０３と、タイミング制御器１３０５と、ＲＦデュプレクサ(Ｒａｄｉｏ  Ｆｒｅｑｕｅｎｃｙ  Ｄｕｐｌｅｘｅｒ)１３３３とを含む。ここで、周波数帯域Ｂ１の送受信装置１３０１と周波数帯域Ｂ２の送受信装置１３０３は、同一の構成を有するため、周波数帯域Ｂ１の送受信装置１３０１を例として説明する。
【００９７】
ＲＦデュプレクサ１３３３は、アンテナを通じて受信されたＲＦ信号を各周波数帯域に合う送受信装置１３０１，１３０３に分離して伝送する。
【００９８】
周波数帯域Ｂ１の送受信装置１３０１は、ＲＦデュプレクサ１３３３を通じて周波数帯域Ｂ１の信号を送受信するために送信装置１３１１、受信装置１３２１、及びＲＦスイッチ１３３１を含む。
【００９９】
送信装置１３１１は、フレーム生成器１３１３、リソースマッパ１３１５、変調器１３１７、及びデジタル／アナログ変換器１３１９を含んで構成される。
【０１００】
フレーム生成器１３１３は、上位端から受信したデータを宛先によりそれぞれのサブフレームを生成する。例えば、フレーム生成器１３１３は、図２〜図７に示すようなサブフレーム構成方式により、中継リンクで接続された端末に伝送するデータを用いてＲＳ-ＭＳリンクのためのサブフレームを構成し、基地局に伝送するデータを用いてＢＳ-ＲＳリンクのためのサブフレームを構成する。
【０１０１】
フレーム生成器１３１３が基地局に含まれる場合に、予め定められたサブフレームの構成方式により直接リンクで接続された端末に伝送するデータを用いてＢＳ-ＭＳリンクのためのサブフレームを構成し、中継局に伝送するデータを用いてＢＳ-ＲＳリンクのためのサブフレームを構成する。一方、フレーム生成器１３１３が、端末に含まれる場合に、直接リンクで接続された端末はＢＳ-ＭＳリンクのためのサブフレームを構成し、中継リンクで接続された端末はＲＳ-ＭＳリンクのためのサブフレームを構成する。
【０１０２】
リソースマッパ１３１５は、フレーム生成器１３１３から受信されたサブフレームを各サブフレームに割り当てられた各リンクのバーストにサブフレームを割り当てて出力する。
【０１０３】
変調器１３１７は、リソースマッパ１３１５から各リンクのバーストに割り当てられたサブフレームを受信して予め定められた変調方式によって変調する。
【０１０４】
デジタル／アナログ変換器１３１９は、変調器１３１７から受信したデジタル信号をアナログ信号に変換する。その後、デジタル／アナログ変換器１３１９は、信号の周波数をアップさせてＲＦ信号に変換してＲＦスイッチ１３３１とＲＦデュプレクサ１３３３を通じて周波数帯域Ｂ１に送信する。
【０１０５】
受信装置１３２１は、アナログ／デジタル変換器１３２３と、復調器１３２５と、リソースデマッパ１３２７と、フレーム抽出器１３２９とを含む。
【０１０６】
アナログ／デジタル変換器１３２３は、周波数帯域Ｂ１の受信帯域にＲＦデュプレクサ１３３３とＲＦスイッチ１３３１を通じて受信された信号の周波数をダウンさせ、基底帯域信号に変換されたアナログ信号を受信してデジタル信号に変換する。
【０１０７】
復調器１３２５は、アナログ／デジタル変換器１３２３から受信したデジタル信号を該当復調方式によって復調して出力する。
【０１０８】
リソースデマッパ１３２７は、復調器１３２５から受信された各リンクのバーストに割り当てられた実際のサブフレームを抽出する。
【０１０９】
フレーム抽出器１３２９は、リソースデマッパ１３２７から受信されるサブフレームで受信器１３２１に該当するサブフレームを抽出する。例えば、フレーム抽出器１３２９は、ＲＳ-ＭＳリンクのためのサブフレームとＢＳ-ＲＳリンクのためのサブフレームを抽出する。
【０１１０】
フレーム抽出器１３２９が、基地局に含まれる場合に、ＢＳ-ＭＳリンクのためのサブフレームとＢＳ-ＲＳリンクのためのサブフレームを抽出する。一方、フレーム抽出器１３２９が端末に含まれる場合に、ＢＳ-ＭＳリンクのためのサブフレームとＲＳ-ＭＳリンクのためのサブフレームを抽出する。
【０１１１】
ＲＦスイッチ１３３１は、タイミング制御器１３０５の制御によってフレームの送信帯域と受信帯域により送受信装置１３１１，１３２１とＲＦデュプレクサ１３３３を接続する。
【０１１２】
タイミング制御器１３０５は、フレームで周波数帯域Ｂ１と周波数帯域Ｂ２の送受信タイミングを制御する。
【０１１３】
図１４は、本発明の他の実施形態による中継局装置のブロック構成を示す。以下に、中継局装置を構成する各モジュールは図１３と同一であるため、その詳細な説明を省略する。
【０１１４】
図１４に示すように、中継局は、一個のＲＦデュプレクサ１４０３と１個の送受信装置１４０１で構成される。すなわち、ＲＦデュプレクサ１４０３を通じて周波数帯域Ｂ１の信号と周波数帯域Ｂ２の信号を分離し、それぞれの信号を、アンテナを通じて送受信する送受信装置１４０１を含んで構成される。ここで、送受信装置１４０１は、送信装置１４１１と受信装置１４２１をスイッチングするＲＦスイッチ１４３１を含む。
【０１１５】
図１２に示すように、同一の帯域で一つの周波数帯域は上向きサブフレームを構成し、残りの周波数帯域は下向きサブフレームを構成する場合に、ＲＦスイッチ１４３１の制御によって一つの送受信端を用いて２つの周波数帯域Ｂ１，Ｂ２の信号を送受信することが可能である。
【０１１６】
すなわち、ＲＦスイッチ１４３１の制御により、第１の区間で送信装置１４１１は、周波数帯域Ｂ１の信号を送信し、受信装置１４２１は周波数帯域Ｂ２の信号を受信する。第２の区間に遷移される場合に、送信装置１４１１は、周波数帯域Ｂ１の信号を受信し、受信装置１４２１は周波数帯域Ｂ２の信号を送信する。
【０１１７】
ここで、タイミング制御器１４３３は、フレームで周波数帯域Ｂ１と周波数帯域Ｂ２の送受信タイミング信号を出力してＲＦスイッチ１４３１を制御する。
【０１１８】
図１５は、本発明のまた他の実施形態による中継局装置のブロック構成を示す。以下に、中継局装置を構成する各モジュールは上記の図１３と同一なので、その詳細な説明を省略する。
【０１１９】
図１５に示すように、中継局は、一個のＲＦデュプレクサ１５３１と、一個の送受信装置１５０１と、各周波数帯域フィルター１５０３，１５０５とを含む。すなわち、アンテナを通じて送受信される周波数帯域Ｂ１の信号と周波数帯域Ｂ２の信号を、ＲＦデュプレクサ１５３１を通じて分離して使用する。
【０１２０】
図１４に示すように、一個の送受信装置１５０１を用いて２つの周波数帯域Ｂ１，Ｂ２の信号を送受信するが、フィルター１５０３、１５０５とＲＦデュプレクサ１５３１を用いて２つの周波数帯域を分離する差を有する。
【０１２１】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【０１２２】
【図１】一般的なマルチホップ中継方式セルラーネットワークの構成を示す図である。
【図２】本発明の第１の実施形態によるマルチホップ中継セルラーネットワークのサブフレームの構成を示す図である。
【図３】本発明の第２の実施形態によるマルチホップ中継セルラーネットワークのサブフレームの構成を示す図である。
【図４】本発明の第３の実施形態によるマルチホップ中継セルラーネットワークのサブフレームの構成を示す図である。
【図５】本発明の第４の実施形態によるマルチホップ中継セルラーネットワークのサブフレーム構成を示す図である。
【図６】本発明の第５の実施形態によるマルチホップ中継セルラーネットワークのサブフレーム構成を示す図である。
【図７】本発明の第６の実施形態によるマルチホップ中継セルラーネットワークのサブフレーム構成を示す図である。
【図８】本発明の第１の実施形態によるサブフレームの多重化方法を示す図である。
【図９】本発明の第２の実施形態によるサブフレームの多重化方法を示す図である。
【図１０】本発明の第３の実施形態によるサブフレームの多重化方法を示す図である。
【図１１】本発明の実施形態によるマルチホップ中継セルラーネットワークのフレーム構成を示す図である。
【図１２】本発明の他の実施形態によるマルチホップ中継セルラーネットワークのフレーム構成を示す図である。
【図１３】本発明の実施形態による中継局装置を示すブロック構成図である。
【図１４】本発明の他の実施形態による中継局装置を示すブロック構成図である。
【図１５】本発明のまた他の実施形態による中継局装置を示すブロック構成図である。
【符号の説明】
【０１２３】
１３１３  フレーム生成器
１３１５  リソースマッパ
１３１７  変調器
１３１９  ＤＡＣ
１３３１  スイッチ
【図１】
2007116703.tif 000003
【図２】
2007116703.tif 000004
【図３】
2007116703.tif 000005
【図４】
2007116703.tif 000006
【図５】
2007116703.tif 000007
【図６】
2007116703.tif 000008
【図７】
2007116703.tif 000009
【図８】
2007116703.tif 000010
【図９】
2007116703.tif 000011
【図１０】
2007116703.tif 000012
【図１１】
2007116703.tif 000013
【図１２】
2007116703.tif 000014
【図１３】
2007116703.tif 000015
【図１４】
2007116703.tif 000016
【図１５】
2007116703.tif 000017